(57)【要約】【課題】ケーブルが通されている状態の筒状部材に容易に筐体を通すことが可能なコネクタを提供する。【解決手段】本発明のコネクタは、ケーブル９が通された筒状部材８に通される筐体２であって、筒状部材８への挿入方向を軸方向とするときの側面が、筒状部材８の内周面８１に対応する形状の外周面部２１と、相手方コネクタと係合するための係止片３５が設けられ、筒状部材８の内周面８１との間にケーブル９を配置するための空間Ｓを形成する係止面部２３と、を含む筐体２を備える。【選択図】図４
2015046279.tif 000002
【特許請求の範囲】
【請求項１】
ケーブルが通された筒状部材に通される筐体であって、前記筒状部材への挿入方向を軸方向とするときの側面が、前記筒状部材の内周面に対応する形状の外周面部と、相手方コネクタと係合するための係止片が設けられ、前記筒状部材の内周面との間に前記ケーブルを配置するための空間を形成する係止面部と、を含む筐体、
を備えるコネクタ。
【請求項２】
前記外周面部は、前記筒状部材の内周面の半周以上に対応する、
請求項１に記載のコネクタ。
【請求項３】
前記筐体は、本体と、前記本体の前記挿入方向の先端部に取り付けられるカバーと、を含み、
前記本体と前記カバーを互いに係合するための一対の係止片が、前記係止面部に設けられる、
請求項１に記載のコネクタ。
【請求項４】
前記カバーの前記係止面部には、前記カバーに設けられた係止片の穴と連続し、前記挿入方向に向けて開放された溝が形成される、
請求項３に記載のコネクタ。
【請求項５】
前記筐体は、本体と、前記本体の前記外周面部に形成された開口に挿入され、前記本体に挿入された端子と係合するリテーナと、を含む、
請求項１に記載のコネクタ。
【発明の詳細な説明】
【技術分野】
【０００１】
本発明はコネクタに関し、特には筐体の形状に関する。
【背景技術】
【０００２】
従来、複数のコネクタを順番に筒状部材に通す技術が知られている。
【発明の概要】
【発明が解決しようとする課題】
【０００３】
しかしながら、従来技術では、筒状部材の小径化に対応することが困難である。すなわち、１つ目のコネクタが通された後の筒状部材の内側には、１つ目のコネクタに繋がるケーブルが存在しているため、筒状部材が小径であると、２つ目のコネクタを通すための十分な空間を確保することが困難である。
【０００４】
本発明は、上記課題に鑑みてなされたものであって、その目的は、ケーブルが通されている状態の筒状部材に筐体を容易に通すことが可能なコネクタを提供することにある。
【課題を解決するための手段】
【０００５】
上記課題を解決するため、本発明のコネクタは、ケーブルが通された筒状部材に通される筐体であって、前記筒状部材への挿入方向を軸方向とするときの側面が、前記筒状部材の内周面に対応する形状の外周面部と、相手方コネクタと係合するための係止片が設けられ、前記筒状部材の内周面との間に前記ケーブルを配置するための空間を形成する係止面部と、を含む筐体を備える。
【０００６】
また、本発明の一態様では、前記外周面部は、前記筒状部材の内周面の半周以上に対応する。
【０００７】
また、本発明の一態様では、前記筐体は、本体と、前記本体の前記挿入方向の先端部に取り付けられるカバーと、を含み、前記本体と前記カバーを互いに係合するための一対の係止片が、前記係止面部に設けられる。
【０００８】
また、本発明の一態様では、前記カバーの前記係止面部には、前記カバーに設けられた係止片の穴と連続し、前記挿入方向に向けて開放された溝が形成される。
【０００９】
また、本発明の一態様では、前記筐体は、本体と、前記本体の前記外周面部に形成された開口に挿入され、前記本体に挿入された端子と係合するリテーナと、を含む。
【発明の効果】
【００１０】
本発明によると、筐体の側面が外周面部と係止面部とを含むことから、ケーブルが通されている状態の筒状部材に筐体を容易に通すことが可能である。
【図面の簡単な説明】
【００１１】
【図１】本発明の一実施形態に係るコネクタの斜視図である。
【図２】コネクタの正面図である。
【図３】コネクタの側面図である。
【図４】コネクタが筒状部材に挿入された状態を示す正面図である。
【図５】２つのコネクタが筒状部材に通される工程を示す斜視図である。
【図６】図５に続く図である。
【図７】図６に続く図である。
【図８】図７に続く図である。
【図９】本発明の他実施形態に係るコネクタの正面図である。
【発明を実施するための形態】
【００１２】
本発明の実施形態を、図面を参照しながら説明する。
【００１３】
図１〜図３は、本発明の一実施形態に係るコネクタ１の斜視図、正面図及び側面図である。図４は、コネクタ１が筒状部材８に挿入された状態を示す正面図である。図１中の矢印Ｉは、コネクタ１の挿入方向を示す。以下の説明では、挿入方向Ｉを前方向とし、その逆方向を後方向とする。
【００１４】
コネクタ１は、複数のケーブル９の先端部に配置されており、樹脂材料からなる筐体２を備えている。筐体２の内側には、不図示の複数の端子が収納されている。複数のケーブル９は、筐体２に収納された複数の端子に接続され、筐体２の後面から外側へ延出している。
【００１５】
筐体２は、前後方向を軸方向とする概略半円柱状に構成されており、筐体２の側面は、円周状の外周面部２１と、外周面部２１よりも平坦な係止面部２３と、を含んでいる。
【００１６】
筐体２は、複数の端子を保持する本体３と、本体３の前端部に取り付けられるカバー４と、本体３に収納された複数の端子に係合するリテーナ５と、を備えている。
【００１７】
筐体２の外周面部２１は、本体３の外周面部３１と、カバー４の外周面部４１と、リテーナ５の外周面部５１と、を含んでいる。筐体２の係止面部２３は、本体３の係止面部３５と、カバー４の係止面部４５と、を含んでいる。
【００１８】
本体３の外周面部３１には、円周方向に広がる矩形状の開口３ａが形成されており、リテーナ５は開口３ａから本体３の内側に挿入され、複数の端子と係合する。
【００１９】
本体３の係止面部３３には、相手方コネクタ７と係合するための爪状の係止片３５が設けられている。係止片３５は、係止面部３３の幅方向の中央部で係止面部３３から垂直方向に突出しており、前側にテーパー面を有している。また、係止片３５は、係止面部３５の前端部に設けられている。
【００２０】
また、本体３の係止面部３３には、本体３とカバー４を互いに係合するための爪状の係止片３７が設けられている。係止片３７は、係止面部３５の前端部で、上記係止片３５を挟むように幅方向の両側に設けられている。
【００２１】
カバー４には、相手方コネクタ７（図８を参照）の複数の端子が挿入される複数の穴４ａが形成されている。また、カバー４には、コネクタ１の向きや種類を区別するための溝４ｂが、幅方向の中央からやや離れて形成されている。
【００２２】
カバー４の係止面部４３には、本体３とカバー４を互いに係合するためのＵ字状の係止片４７が設けられている。係止片４７は、本体３の係止片３７と対応するように、係止面部４３の幅方向の両側に設けられている。また、係止片４７は、係止面部４３の後端部から後方に延伸している。
【００２３】
また、カバー４の係止面部４３には、Ｕ字状の係止片４７の穴と連続し、前後方向に延伸する溝４ｃが形成されており、この溝４ｃは、前方に向かって開放されている。
【００２４】
図４に示されるように、筐体２の外周面部２１は、円筒状の筒状部材８の内周面８１に対応する円周形状を有している。筐体２の外周面部２１の曲率は、筒状部材８の内周面８１と同一ないし近接している。筐体２が筒状部材８に挿入されるとき、筐体２の外周面部２１は、全体に亘って、筒状部材８の内周面８１と接触ないし接近する。
【００２５】
他方、筐体２の係止面部２３は、平坦に形成されている。なお、係止面部２３は、幅方向の中央部を頂部として両側がやや傾斜していてもよい。筐体２の係止面部２３は平坦であるため、若しくは曲率が筒状部材８の内周面８１より小さいため、筐体２が筒状部材８に挿入されると、筐体２の係止面部２３と筒状部材８の内周面８１との間には、概略半円柱状の空間Ｓが形成される。この空間Ｓには複数のケーブル９が配置される。
【００２６】
また、筐体２の外周面部２１は、筒状部材８の内周面８１の半周以上に対応している。すなわち、筐体２が筒状部材８に挿入されるとき、筐体２の外周面部２１は、筒状部材８の内周面８１の半周以上と接触ないし接近する。また、筐体２が筒状部材８に挿入されるとき、筐体２の係止面部２３は、筒状部材８の中心軸よりも空間Ｓ側に位置している。すなわち、筐体２は、筒状部材８の内部空間の半分以上を占めている。
【００２７】
図５〜図８は、２つのコネクタ１が筒状部材８に通される工程を示す斜視図である。図示の例では、２つのコネクタ１が溝４ｂの位置を除き同一の形状を有しているが、これに限られず、筒状部材８に２番目に通されるコネクタ１が上記図１〜図４に示した形状を有していればよい。
【００２８】
最初に、図５及び図６に示されるように、１番目のコネクタ１が筒状部材８に通される。これにより、筒状部材８の内側には、１番目のコネクタ１に接続された複数のケーブル９が存在した状態となる。
【００２９】
次いで、図６及び図７に示されるように、２番目のコネクタ１が筒状部材８に通される。このとき、筒状部材８の内側には１番目のコネクタ１に接続された複数のケーブル９が存在した状態であるので、上記図４に示されるように、筐体２の外周面部２１が筒状部材８の内周面８１に接触ないし接近し、筐体２の係止面部２３と筒状部材８の内周面８１の空間Ｓに複数のケーブル９が配置された状態で、２番目のコネクタ１は筒状部材８に通される。
【００３０】
最後に、図８に示されるように、２つのコネクタ１は相手方コネクタ７にそれぞれ嵌め合わされる。このように、２つのコネクタ１を筒状部材８に通すことで、極数の増加を図ることが可能である。
【００３１】
以上に説明した本実施形態では、筐体２の係止面部２３を平坦にして係止片３５を設ける一方で、筐体２の外周面部２１を筒状部材８の内周面８１に対応する形状としている。このため、筐体２が筒状部材８に挿入されたときに、筐体２の外周面部２１を筒状部材８の内周面８１に接触ないし接近させて、複数のケーブル９を配置するための空間Ｓの断面積を確保することが可能である。
【００３２】
また、本実施形態では、筐体２の外周面部２１が筒状部材８の内周面８１の半周以上に対応している。これによると、筒状部材８の内側で筐体２が軸方向と直交する方向に平行移動することが抑制されるため、複数のケーブル９を配置するための空間Ｓを安定して確保することが可能である。
【００３３】
また、本実施形態では、筐体２の係止面部２３に前方に向かって開放された溝４ｃが形成されている。これによると、筐体２の外周面部２１と筒状部材８の内周面８１との空間Ｓへ複数のケーブル９を案内する効果を期待できる。なお、溝４ｃは、前方に向かうに従って幅広になってもよい。
【００３４】
以上、本発明の実施形態について説明したが、本発明は上記実施形態に限定されるものではなく、種々の変形実施が当業者にとって可能であるのはもちろんである。
【００３５】
例えば、図９に示されるように、筐体２の係止面部２３に前後方向に延びる複数の凸条部３９を設けてもよい。これによっても、空間Ｓへ複数のケーブル９を案内する効果を期待できる。なお、２つの凸条部３９の間隔は、前方に向かうに従って幅広になってもよい。
【符号の説明】
【００３６】
１  コネクタ、２  筐体、２１  外周面部、２３  係止面部、３  本体、３ａ  開口、３１  外周面部、３３  係止面部、３５  係止片、３７  係止片、３９  凸条部、４  カバー、４ａ  穴、４ｂ，４ｃ  溝、４１  外周面部、４３  係止面部、４７  係止片、５  リテーナ、５１  外周面部、７  相手方コネクタ、８  筒状部材、８１  内周面、９  ケーブル、Ｓ  空間。
【図１】
2015046279.tif 000003
【図２】
2015046279.tif 000004
【図３】
2015046279.tif 000005
【図４】
2015046279.tif 000006
【図５】
2015046279.tif 000007
【図６】
2015046279.tif 000008
【図７】
2015046279.tif 000009
【図８】
2015046279.tif 000010
【図９】
2015046279.tif 000011